(57)【特許請求の範囲】
【請求項１】
交流電源の出力電圧を整流して非平滑直流電圧を出力する整流手段と；
互いに直列的に接続され交互にオン、オフして整流手段の出力を整流手段の出力より高い周波数でスイッチングする一対のスイッチング手段と；
第１のスイッチング手段に対して並列的に設けられ、第２のスイッチング手段のオン期間に第２のスイッチング手段を介して整流手段の出力により充電され、整流手段の出力周波数成分に対して平滑作用を行なうとともに、第１のスイッチング手段のオン期間に充電電荷を第１のスイッチング手段を介して放電する第１のコンデンサと；
第１のスイッチング手段および第２のスイッチング手段の接続点と第１のコンデンサとの間に介挿され第１のコンデンサの充放電電流を通流するインダクタと；
第１のスイッチング手段および第２のスイッチング手段のオン、オフに応じてインダクタとともに共振する第２のコンデンサと；
整流手段の出力により充電される容量手段を有しこの容量手段の電圧が所定値以上になると第２のスイッチング手段を動作させる起動回路と；
この起動回路が第１のスイッチング手段をオンすると容量手段の電荷を第１のスイッチング手段を介さないで放電させる放電手段と；
を具備したことを特徴とする電源装置。
【請求項２】
交流電源の出力電圧を整流して非平滑直流電圧を出力する整流手段と；
互いに直列的に接続され交互にオン、オフして整流手段の出力を整流手段の出力より高い周波数でスイッチングする一対のスイッチング手段と；
第１のスイッチング手段に対して並列的に設けられ、第２のスイッチング手段のオン期間に第２のスイッチング手段を介して整流手段の出力により充電され、整流手段の出力周波数に対して平滑作用を行なうとともに、第１のスイッチング手段のオン期間に充電電荷を第１のスイッチング手段を介して放電する第１のコンデンサと；
第１のスイッチング手段および第２のスイッチング手段の接続点と第１のコンデンサとの間に介挿され第１のコンデンサの充放電電流を通流するインダクタと；
第１のスイッチング手段および第２のスイッチング手段のオン、オフに応じてインダクタとともに共振する第２のコンデンサと；
整流手段の出力により充電される容量手段、動作時に容量手段の電荷を放電させるダイオード、および、ダイオードに対して直列に接続されたインピーダンス手段を有し、容量手段の電圧が所定値以上になるといずれか第１のスイッチング手段を動作させる起動回路と；
を具備したことを特徴とする電源装置。
【請求項３】
請求項１または２記載の電源装置と；
この電源装置により付勢点灯される放電ランプと；
を具備したことを特徴とする放電灯点灯装置。
【請求項４】
請求項３記載の放電灯点灯装置と；
この放電灯点灯装置が設けられる器具本体と；
を具備したことを特徴とする照明装置。
【発明の詳細な説明】
【０００１】
【発明の属する技術分野】
本発明は、交流電源からの入力力率を向上し、入力電流の歪みを低減した電源装置、放電灯点灯装置および照明装置に関する。
【０００２】
【従来の技術】
従来、この種の放電灯点灯装置としては、たとえば特開平５−１７４９８６号公報に記載の構成が知られている。
【０００３】
この特開平５−１７４９８６号公報に記載の構成は、商用交流電源に共振用の共振コイルおよび共振コンデンサを介して接続された全波整流器の出力側に小容量のコンデンサが接続され、この平滑コンデンサの出力側にスイッチング素子を直列に接続したハーフブリッジ型のインバータ回路を接続したものである。
【０００４】
そして、高圧側のスイッチング素子のオン期間では、インバータ回路には最初は小容量のコンデンサから給電し、このコンデンサは小容量であるのでまもなく電圧が低下し、このコンデンサの放電後は商用交流電源から電流を流入させる。
【０００５】
また、高圧側のスイッチング素子のオフ期間では、流入電流が遮断されて共振コイルおよび共振コンデンサで共振された共振電圧を発生させ、コンデンサにこの共振電流を供給する。
【０００６】
そして、商用交流電源からの入力電圧が低い期間においても入力電流を流すようにして、高入力力率と入力電流との低歪み化を図るものである。
【０００７】
【発明が解決しようとする課題】
そして、上記特開平５−１７４９８６号公報に記載の構成を基礎として、具体的な回路を考えると、公知ではないがたとえば図４に示すような構成が考えられる。
【０００８】
図４は従来例に基づき考えられる放電灯点灯装置の回路図で、放電灯点灯装置１は、商用交流電源ｅにヒューズＦを介して、フィルタ回路２を接続し、このフィルタ回路２は、サージ吸収素子ＴＮＲ１、コンデンサＣ１、トランスＴｒ１  、インダクタＬ１、コンデンサＣ２およびサージ吸収素子ＴＮＲ２にて構成され、このフィルタ回路２には全波整流回路３が接続され、この全波整流回路３は高速スイッチング性のダイオードＤ１，Ｄ２，Ｄ３，Ｄ４にて構成されるダイオードブリッジにて構成され、さらに、この全波整流回路３には雑音防止用のコンデンサＣ３およびコンデンサＣ４の直列回路が図示しないフレームなどに接続される。
【０００９】
また、全波整流回路３に対して並列に、全波整流回路３の出力周波数に対して平滑作用を有する第１のトランジスタＱ１および第２のトランジスタＱ２の直列回路が接続され、第１のトランジスタＱ１のコレクタ、エミッタ間には環流ダイオードＤ５が接続され、第２のトランジスタＱ２のコレクタ、エミッタ間には環流ダイオードＤ６およびコンデンサＣ５の並列回路が接続されている。
【００１０】
さらに、全波整流回路３に対して並列に、第１のコンデンサＣ６および第２のコンデンサＣ７の直列回路が接続され、第１のトランジスタＱ１および第２のトランジスタＱ２の接続点と、第１のコンデンサＣ６および第２のコンデンサＣ７の接続点との間には、限流インピーダンスとしての機能をも有するリーケージ絶縁型の出力トランスＴｒ２  の一次巻線Ｔｒ２ａおよび可飽和リアクタで構成される可飽和変流器ＣＴの入力巻線ＣＴａ  の直列回路が接続されている。
【００１１】
また、第１のトランジスタＱ１のベース、エミッタ間にはダイオードＤ７と抵抗Ｒ１との直列回路が接続されるとともに、抵抗Ｒ３、可飽和変流器ＣＴの第１の出力巻線ＣＴｂ  、ダイオードＤ８およびコンデンサＣ８の並列回路の直列回路が接続され、コンデンサＣ８に対して並列に、コンデンサＣ９、電界効果トランジスタＱ３のドレイン、ソースが接続され、ゲート、ソース間に抵抗Ｒ４およびコンデンサＣ１１  の並列回路が接続されている。
【００１２】
さらに、全波整流回路３の両端子間には、起動回路４が接続されている。この起動回路４は、抵抗Ｒ５、抵抗Ｒ６およびコンデンサＣ１２  の直列回路を有しており、抵抗Ｒ６およびコンデンサＣ１２  の接続点は、コンデンサＣ１２  の電荷を常に放電してダイアックＱ４が動作することを防止するダイオードＤ１１  を介して第１のトランジスタＱ１および第２のトランジスタＱ２の接続点に接続されるとともに、ダイアックＱ４および抵抗Ｒ７を有しており、このダイアックＱ４は抵抗Ｒ７を介して第２のトランジスタＱ２のベースに接続されている。なお、ダイオードＤ１１  はコンデンサＣ１２  の電荷を常に放電してダイアックＱ４が動作することを防止している。
【００１３】
またさらに、第２のトランジスタＱ２のベース、エミッタ間には、ダイオードＤ１２  と抵抗Ｒ８との直列回路が接続され、抵抗Ｒ１１  を介して可飽和変流器ＣＴの第２の出力巻線ＣＴｃ  と、ダイオードＤ１３  およびコンデンサＣ１３  の並列回路とが直列に接続されている。
【００１４】
また、全波整流回路３の両端子間には、５つの抵抗Ｒ１２  ，Ｒ１４  ，Ｒ１５  ，Ｒ１６  が直列に接続され、抵抗Ｒ１４  ，Ｒ１５  ，Ｒ１６  の直列回路に対して並列にコンデンサＣ１５  が接続されている。さらに、このコンデンサＣ１５  に対して並列に、トランジスタＱ５のエミッタ、コレクタおよびコンデンサＣ１６  が接続され、このトランジスタＱ５のベースはツェナダイオードＺＤ１１を介して全波整流回路３の負極に接続されている。また、トランジスタＱ５のコレクタおよびコンデンサＣ１６  の接続点は、抵抗Ｒ１４  およびダイオードＤ１５  を介して電界効果トランジスタＱ３のゲートに接続されている。
【００１５】
さらに、全波整流回路３の両端子間には、抵抗Ｒ１８  ，Ｒ２０  ，Ｒ２１  およびダイオードＤ１６  の直列回路が接続され、抵抗Ｒ２０  、ダイオードＤ１６  および抵抗Ｒ２１  に対して並列にコンデンサＣ１７  が接続されている。また、抵抗Ｒ２０  およびダイオードＤ１６  の接続点にはトランジスタＱ６のベースが接続され、トランジスタＱ６のコレクタは抵抗Ｒ２２  を介して抵抗Ｒ１５  に接続され、トランジスタＱ６のエミッタは抵抗Ｒ２３  を介して全波整流回路３の負極に接続され、抵抗Ｒ２３  を介したトランジスタＱ６のエミッタ、コレクタ間にはコンデンサＣ１８  が接続されている。さらに、トランジスタＱ６のコレクタおよび抵抗Ｒ２２  の接続点には、抵抗Ｒ２４  を介して電界効果トランジスタＱ７が接続され、この電界効果トランジスタＱ７のドレインは抵抗Ｒ２５  およびコンデンサＣ１９  の直列回路を介して第２の出力巻線ＣＴｃ  およびコンデンサＣ１３  の接続点に接続され、ソースは全波整流回路３の負極に接続されている。
【００１６】
一方、出力回路となる出力トランスＴｒ２  の二次巻線Ｔｒ２ｂは負荷としての蛍光ランプＦＬ１  のフィラメントＦＬ１ａおよび蛍光ランプＦＬ２  のフィラメントＦＬ２ｂに接続されている。また、蛍光ランプＦＬ１  のフィラメントＦＬ１ｂおよび蛍光ランプＦＬ２  のフィラメントＦＬ２ａにはトランスＴｒ１  のフィラメント巻線Ｔｒ２ｃが接続されている。そして、蛍光ランプＦＬ１  のフィラメントＦＬ１ａおよびフィラメントＦＬ２ｂ間には始動用のコンデンサＣ２２  が接続され、出力トランスＴｒ２  のフィラメント巻線Ｔｒ２ｃには、蛍光ランプＦＬ１  のフィラメントＦＬ１ｂおよび蛍光ランプＦＬ２  のフィラメントＦＬ２ａが接続されている。
【００１７】
次に、上記電源装置の回路の動作について説明する。
【００１８】
まず、電源を投入すると、全波整流回路３の出力電圧が抵抗Ｒ５および抵抗Ｒ６を介してコンデンサＣ１２  を充電する。そして、このコンデンサＣ１２  の充電電圧がダイアックＱ４のブレークオーバ電圧を越えると、コンデンサＣ１２  の充電電荷がダイアックＱ４および抵抗Ｒ７を通して放電して、トランジスタＱ２のベースに対して起動トリガ信号としてのベース電流が供給され、トランジスタＱ２がオンする。このように、第２のトランジスタＱ２がオンすることにより、全波整流回路３の正極出力端子、第１のコンデンサＣ６、出力トランスＴｒ２  の一次巻線Ｔｒ２ａ、可飽和変流器ＣＴの入力巻線ＣＴａ  、第２のトランジスタＱ２のコレクタ、エミッタおよび全波整流回路３の負極出力端子の経路で電流が流れる。そして、第１のコンデンサＣ６が充電され、可飽和変流器ＣＴの第１の出力巻線ＣＴｂ  および第２の出力巻線ＣＴｃ  に逆極性の電圧が現れ、可飽和変流器ＣＴが飽和すると、第１のトランジスタＱ１および第２のトランジスタＱ２のオンオフが反転する。
【００１９】
すなわち、第２のトランジスタＱ２がオフすると、出力トランスＴｒ２  の一次巻線Ｔｒ２ａに蓄えたエネルギーで電流が、出力トランスＴｒ２  の一次巻線Ｔｒ２ａ、可飽和変流器ＣＴの入力巻線ＣＴａ  、ダイオードＤ５、第１のコンデンサＣ１および出力トランスＴｒ２  の一次巻線Ｔｒ２ａの経路で流れる。その後、第１のトランジスタＱ１のオンにともない、第１のコンデンサＣ６に蓄積されていた電荷が、第１のコンデンサＣ１、第１のトランジスタＱ１のコレクタ、エミッタ、可飽和変流器ＣＴの入力巻線ＣＴａ  、出力トランスＴｒ２  の一次巻線Ｔｒ２ａおよび第１のコンデンサＣ６の経路で流れる。
【００２０】
そして、可飽和変流器ＣＴの飽和により第１のトランジスタＱ１がオフすると、ダイオードＤ６がオンして、出力トランスＴｒ２  の一次巻線Ｔｒ２ａと第２のコンデンサＣ７とが直列共振し、共振電流が出力トランスＴｒ２  の一次巻線Ｔｒ２ａ、第２のコンデンサＣ７、ダイオードＤ６、可飽和変流器ＣＴの入力巻線ＣＴａ  および出力トランスＴｒ２  の一次巻線Ｔｒ２ａの経路で流れる。その後、第２のトランジスタＱ２のオンにともない、共振電流が極性反転して逆向きになる。すなわち、出力トランスＴｒ２  の一次巻線Ｔｒ２ａ、可飽和変流器ＣＴの入力巻線ＣＴａ  、第２のトランジスタＱ２のコレクタ、エミッタ、第２のコンデンサＣ７、出力トランスＴｒ２  の一次巻線Ｔｒ２ａの経路で流れる。また、出力トランスＴｒ２  の一次巻線Ｔｒ２ａと第２のコンデンサＣ７による共振電流が流れる帰還における共振電圧は、共振回路の抵抗成分が小さいので、全波整流回路３の整流された脈流電圧より大きく、すなわち昇圧される。
【００２１】
そして、共振電圧が低下して、第２のコンデンサＣ７および第１のコンデンサＣ６の両端電圧も低下するから、全波整流回路３の正極、第１のコンデンサＣ１、出力トランスＴｒ２  の一次巻線Ｔｒ２ａ、可飽和変流器ＣＴの入力巻線ＣＴａ  、第２のトランジスタＱ２および全波整流回路３の負極に流れる。
【００２２】
次に、第２のトランジスタＱ２がオフすると、ダイオードＤ５がオンして出力トランスＴｒ２  の一次巻線Ｔｒ２ａの蓄積エネルギにより、出力トランスＴｒ２  の一次巻線Ｔｒ２ａ、ダイオードＤ５、第１のコンデンサＣ１および出力トランスＴｒ２  の一次巻線Ｔｒ２ａに電流が流れ、この動作を繰り返す。
【００２３】
以上のようにして、出力トランスＴｒ２  の一次巻線Ｔｒ２ａに数１０ｋＨｚ程度の高周波電流が流れ、二次巻線Ｔｒ２ｂに接続された蛍光ランプＦＬ１  および蛍光ランプＦＬ２  が点灯される。
【００２４】
ここで、第１のトランジスタＱ１および第２のトランジスタＱ２が自励に入った後は、電源周波数よりはるかに高い数１０ｋＨｚ程度の高い周波数で第１のトランジスタＱ１および第２のトランジスタＱ２が交互にオン、オフして、第２のトランジスタＱ２がオンすると、第１のトランジスタＱ１および第２のトランジスタＱ２の接続点の電位は、基準電位に低下するので、全波整流回路３の出力電圧がコンデンサＣ１２  に充電されようとしてもコンデンサＣ１２  の充電電荷はダイオードＤ１１  を通して放電されてしまい、ダイアックＱ４のブレークオーバ電圧を越えられなくなるために、再び第２のトランジスタＱ２のベースに対して起動トリガ信号が入力されることはない。つまり、第２のトランジスタＱ２が一旦オンすると、抵抗Ｒ５および抵抗Ｒ６とコンデンサＣ１２  の充電時定数よりも、高周波数スイッチングによるダイオードＤ１１  を通して放電の方が速くおこなわれるので、コンデンサＣ１２  の充電電荷による第２のトランジスタＱ２への起動トリガ信号は供給されない。
【００２５】
また、蛍光ランプＦＬ１  ，ＦＬ２  の予熱時にはコンデンサＣ１５  が充電されていないため、トランジスタＱ５はオフ状態で電界効果トランジスタＱ３もオフ状態であり、コンデンサＣ８に対してコンデンサＣ９が接続されず見掛上合成容量が小さいので、第１のトランジスタＱ１のオン時間が短く、出力トランスＴｒ２  の二次巻線Ｔｒ２ｂに誘起される電圧も低く、蛍光ランプＦＬ１  ，ＦＬ２  のフィラメントＦＬ１ａ，ＦＬ１ｂ，ＦＬ２ａ，ＦＬ２ｂを予熱する。
【００２６】
そして、たとえば電圧変動などにより電源電圧が低下した場合には、トランジスタＱ６のコレクタ、エミッタ間の電流を減少させ、電界効果トランジスタＱ７のドレイン、ソース間の抵抗値を低下させて、コンデンサＣ１３  およびコンデンサＣ１９  の合成容量を増加させ、第２のトランジスタＱ２のオン時間を長くし、出力電圧を相対的に増加させる。
【００２７】
反対に、電源電圧が低下した場合には、トランジスタＱ６のコレクタ、エミッタ間電流を減少させ、電界効果トランジスタＱ７のドレイン、ソース間の抵抗値を増加させて、コンデンサＣ１３  およびコンデンサＣ１９  の合成容量を減少させ、第２のトランジスタＱ２のオン時間を短くし、出力電圧を相対的に減少させる。
【００２８】
したがって、電圧変動により電圧が変動しても、出力電圧を一定に保つことができる。
【００２９】
ところが、上記図４に示す電源装置において、電源瞬時停電などの理由により発振が突然停止した場合には、全波整流回路３の正極の電位をＶDC、ダイオードD11のカソード電位をＶDC−ＶC1、ダイオードD11の順方向電圧降下をＶD11とすると、コンデンサC12の電位はＶDC−ＶC1−ＶD12となる。ここで、ダイアックQ4のブレークオーバ電圧をＶTHとすると、ＶTH＞ＶDC−ＶC1−ＶD12の関係が成立する期間は、ダイアックQ4により起動トリガ信号が入らなくなり、起動不可能となる。つまり、コンデンサC6の充電電荷が放電するまでの数秒間は、電源を再度投入しても起動しない。
【００３０】
たとえば商用交流電源ｅが２００Ｖであるとし、ダイアックQ4のブレークオーバ電圧ＶTHを３０Ｖとすると、全波整流回路３からの全波整流電圧の波高値は約２８０Ｖとなり、第１のトランジスタQ1および第２のトランジスタQ2が発振動作しているときには、第１のコンデンサC6の充電電圧は最高で２００Ｖ×１．４＝２８０Ｖになる。ここで、第１のコンデンサC6の充電電圧がたとえば２６０Ｖになったときに、電源が異常となり発振を停止した場合、ダイオードD11の順方向降下電圧ＶD11は、通常０．６Ｖであるので、コンデンサC12の充電電位は最大でも２８０Ｖ−２６０Ｖ＝２０Ｖ程度に抑えられる。したがって、コンデンサC12の電位は、ダイアックQ4のブレークオーバ電圧３０Ｖを越えることができず、第１のコンデンサC6の充電電圧が２４０Ｖまで放電するまでの期間は、第２のトランジスタQ2に対して起動トリガ信号を供給できなくなる問題を有している。
【００３１】
本発明は、上記問題点に鑑みなされたもので、再発振が可能な電源装置、放電灯点灯装置および照明装置を提供することを目的とする。
【００３２】
【課題を解決するための手段】
請求項１記載の電源装置は、交流電源の出力電圧を整流して非平滑直流電圧を出力する整流手段と；互いに直列的に接続され交互にオン、オフして整流手段の出力を整流手段の出力より高い周波数でスイッチングする一対のスイッチング手段と；第１のスイッチング手段に対して並列的に設けられ、第２のスイッチング手段のオン期間に第２のスイッチング手段を介して整流手段の出力により充電され、整流手段の出力周波数成分に対して平滑作用を行なうとともに、第１のスイッチング手段のオン期間に充電電荷を第１のスイッチング手段を介して放電する第１のコンデンサと；第１のスイッチング手段および第２のスイッチング手段の接続点と第１のコンデンサとの間に介挿され第１のコンデンサの充放電電流を通流するインダクタと；第１のスイッチング手段および第２のスイッチング手段のオン、オフに応じてインダクタとともに共振する第２のコンデンサと；整流手段の出力により充電される容量手段を有しこの容量手段の電圧が所定値以上になると第２のスイッチング手段を動作させる起動回路と；この起動回路が第１のスイッチング手段をオンすると容量手段の電荷を第１のスイッチング手段を介さないで放電させる放電手段とを具備したもので、第１のコンデンサにより、整流手段の非平滑直流電圧を平滑化し、第２のコンデンサおよびインダクタの共振回路により発生した共振電圧により、第１のコンデンサの電圧を一対のスイッチング手段のスイッチングの一周期中に整流手段で整流された非平滑直流電圧より低くしようとし、整流された非平滑直流電圧の波高値が低い期間にも入力電流を確保して入力を高めるとともに、入力電流を低歪み化して入力電流の高調波を低減させ、さらに、整流手段の出力により充電される容量手段を有しこの容量手段の電圧が所定値以上になると第１のスイッチング手段をオンするとともに、放電手段で容量手段を放電するため、確実に再起動する。
【００３３】
請求項２記載の電源装置は、交流電源の出力電圧を整流して非平滑直流電圧を出力する整流手段と；互いに直列的に接続され交互にオン、オフして整流手段の出力を整流手段の出力より高い周波数でスイッチングする一対のスイッチング手段と；第１のスイッチング手段に対して並列的に設けられ、第２のスイッチング手段のオン期間に第２のスイッチング手段を介して整流手段の出力により充電され、整流手段の出力周波数に対して平滑作用を行なうとともに、第１のスイッチング手段のオン期間に充電電荷を第１のスイッチング手段を介して放電する第１のコンデンサと；第１のスイッチング手段および第２のスイッチング手段の接続点と第１のコンデンサとの間に介挿され第１のコンデンサの充放電電流を通流するインダクタと；第１のスイッチング手段および第２のスイッチング手段のオン、オフに応じてインダクタとともに共振する第２のコンデンサと；整流手段の出力により充電される容量手段、動作時に容量手段の電荷を放電させるダイオード、および、ダイオードに対して直列に接続されたインピーダンス手段を有し、容量手段の電圧が所定値以上になるといずれか第１のスイッチング手段を動作させる起動回路とを具備したもので、第１のコンデンサにより、整流手段の非平滑直流電圧を平滑化し、第２のコンデンサおよびインダクタの共振回路により発生した共振電圧により、第１のコンデンサの電圧を一対のスイッチング手段のスイッチングの一周期中に整流手段で整流された非平滑直流電圧より低くしようとし、整流された非平滑直流電圧の波高値が低い期間にも入力電流を確保して入力を高めるとともに、入力電流を低歪み化して入力電流の高調波を低減させ、さらに、整流手段の出力により充電される容量手段を有しこの容量手段の電圧が所定値以上になると第１のスイッチング手段をオンするとともに、通常の発振時にはインピーダンス手段を介してダイオードにより容量手段への電流をバイパスし、容量手段に電荷が蓄えられている場合にも確実に再起動する。
【００３４】
請求項３記載の放電灯点灯装置は、請求項１および２記載の電源装置と；この電源装置により付勢点灯される放電ランプとを具備したもので、それぞれの作用を奏する。
【００３５】
請求項４記載の照明装置は、請求項３記載の放電灯点灯装置と；この放電灯点灯装置が設けられる器具本体とを具備したもので、それぞれの作用を奏する。
【００３６】
【発明の実施の形態】
以下、本発明の照明装置の一実施の形態を図面を参照して説明する。
【００３７】
図２は照明装置の外観を示す斜視図で、この図２に示すように照明器具本体１１の両端には２対のソケット１２が設けられ、これらソケット１２間には放電ランプＦＬ１  ，ＦＬ２  が取り付けられ、これら放電ランプＦＬ１  ，ＦＬ２  間には反射板１３が取り付けられており、放電灯点灯装置１が内蔵されている。
【００３８】
図１は放電灯点灯装置を示す回路図で、この図１に示す放電灯点灯装置１は、図４に示す放電灯点灯装置において、ダイオードＤ１１  を取り除き、容量手段としてのコンデンサＣ１２  の両端に放電手段としてのトランジスタＱ８のコレクタ、エミッタを接続し、このトランジスタＱ８のベースに抵抗Ｒ７および第２の出力巻線ＣＴｃ  に接続したものである。
【００３９】
次に、この実施の形態の動作について説明する。
【００４０】
まず、電源を投入すると、整流手段としての全波整流回路３の出力電圧が抵抗Ｒ５および抵抗Ｒ６を介してコンデンサＣ１２  を充電する。そして、このコンデンサＣ１２  の充電電圧がダイアックＱ４のブレークオーバ電圧を越えると、コンデンサＣ１２  の充電電荷がダイアックＱ４および抵抗Ｒ７を通して放電して、トランジスタＱ２のベースに対して起動トリガ信号としてのベース電流が供給され、トランジスタＱ２がオンする。このように、第２のトランジスタＱ２がオンすることにより、全波整流回路３の正極出力端子、第１のコンデンサＣ６、出力トランスＴｒ２  の一次巻線Ｔｒ２ａ、可飽和変流器ＣＴの入力巻線ＣＴａ  、第２のトランジスタＱ２のコレクタ、エミッタおよび全波整流回路３の負極出力端子の経路で電流が流れる。そして、第１のコンデンサＣ６が充電され、可飽和変流器ＣＴの出力巻線ＣＴｂ  および出力巻線ＣＴｃ  に逆極性の電圧が現れ、可飽和変流器ＣＴが飽和すると、第１のトランジスタＱ１および第２のトランジスタＱ２のオンオフが反転する。
【００４１】
すなわち、第２のトランジスタＱ２がオフすると、出力トランスＴｒ２  の一次巻線Ｔｒ２ａに蓄えたエネルギーで電流が、出力トランスＴｒ２  の一次巻線Ｔｒ２ａ、可飽和変流器ＣＴの入力巻線ＣＴａ  、ダイオードＤ５、第１のコンデンサＣ１および出力トランスＴｒ２  の一次巻線Ｔｒ２ａの経路で流れる。その後、第１のトランジスタＱ１のオンにともない、第１のコンデンサＣ６に蓄積されていた電荷が、第１のコンデンサＣ１、第１のトランジスタＱ１のコレクタ、エミッタ、可飽和変流器ＣＴの入力巻線ＣＴａ  、出力トランスＴｒ２  の一次巻線Ｔｒ２ａおよび第１のコンデンサＣ６の経路で流れる。
【００４２】
そして、可飽和変流器ＣＴの飽和により第１のトランジスタＱ１がオフすると、ダイオードＤ６がオンして、出力トランスＴｒ２  の一次巻線Ｔｒ２ａと第２のコンデンサＣ７とが直列共振し、共振電流が出力トランスＴｒ２  の一次巻線Ｔｒ２ａ、第２のコンデンサＣ７、ダイオードＤ６、可飽和変流器ＣＴの入力巻線ＣＴａ  および出力トランスＴｒ２  の一次巻線Ｔｒ２ａの経路で流れる。その後、第２のトランジスタＱ２のオンにともない、共振電流が極性反転して逆向きになる。すなわち、出力トランスＴｒ２  の一次巻線Ｔｒ２ａ、可飽和変流器ＣＴの入力巻線ＣＴａ  、第２のトランジスタＱ２のコレクタ、エミッタ、第２のコンデンサＣ７、出力トランスＴｒ２  の一次巻線Ｔｒ２ａの経路で流れる。また、出力トランスＴｒ２  の一次巻線Ｔｒ２ａと第２のコンデンサＣ７による共振電流が流れる帰還における共振電圧は、共振回路の抵抗成分が小さいので、全波整流回路３の整流された脈流電圧より大きく、すなわち昇圧される。また、共振電圧が力率改善電流となり、低歪み化を図ることができる。
【００４３】
そして、共振電圧が低下して、第２のコンデンサＣ７および第１のコンデンサＣ６の両端電圧も低下するから、全波整流回路３の正極、第１のコンデンサＣ１、出力トランスＴｒ２  の一次巻線Ｔｒ２ａ、可飽和変流器ＣＴの入力巻線ＣＴａ  、第２のトランジスタＱ２および全波整流回路３の負極に流れる。
【００４４】
次に、第２のトランジスタＱ２がオフすると、ダイオードＤ５がオンして出力トランスＴｒ２  の一次巻線Ｔｒ２ａの蓄積エネルギにより、出力トランスＴｒ２  の一次巻線Ｔｒ２ａ、ダイオードＤ５、第１のコンデンサＣ１および出力トランスＴｒ２  の一次巻線Ｔｒ２ａに電流が流れ、この動作を繰り返す。
【００４５】
以上のようにして、出力トランスＴｒ２  の一次巻線Ｔｒ２ａに数１０ｋＨｚ程度の高周波電流が流れ、二次巻線Ｔｒ２ｂに接続された蛍光ランプＦＬ１  および蛍光ランプＦＬ２  が点灯される。
【００４６】
ここで、第１のトランジスタＱ１および第２のトランジスタＱ２が自励に入った後は、電源周波数よりはるかに高い数１０ｋＨｚ程度の高い周波数で第１のトランジスタＱ１および第２のトランジスタＱ２が交互にオン、オフして、第２のトランジスタＱ２がオンすると、第１のトランジスタＱ１および第２のトランジスタＱ２の接続点の電位は、基準電位に低下する。
【００４７】
しかしながら、ダイアックＱ４がオンされないためトランジスタＱ８がオフ状態を維持し、全波整流回路３の出力電圧がコンデンサＣ１２  に充電されるため、コンデンサＣ１２  の電圧が上昇してダイアックＱ４のブレークオーバ電圧を越えるために、第２のトランジスタＱ２のベースに対して起動トリガ信号が入力される。つまり、ダイアックＱ４がオンするまで、コンデンサＣ１２  は充電されるため、コンデンサＣ１２  の充電電荷により再起動後容易に第２のトランジスタＱ２に起動トリガ信号が供給される。
【００４８】
したがって、電源を再投入した後も、容易に起動を再開することができる。
【００４９】
また、蛍光ランプＦＬ１  ，ＦＬ２  の予熱時にはコンデンサＣ１５  が充電されていないため、トランジスタＱ５はオフ状態で電界効果トランジスタＱ３もオフ状態であり、コンデンサＣ８に対してコンデンサＣ９が接続されず見掛上合成容量が小さいので、第１のトランジスタＱ１のオン時間が短く、出力トランスＴｒ２  の二次巻線Ｔｒ２ｂに誘起される電圧も低く、蛍光ランプＦＬ１  ，ＦＬ２  のフィラメントＦＬ１ａ，ＦＬ１ｂ，ＦＬ２ａ，ＦＬ２ｂを予熱する。
【００５０】
そして、たとえば電圧変動などにより電源電圧が低下した場合には、トランジスタＱ６のコレクタ、エミッタ間の電流を減少させ、電界効果トランジスタＱ７のドレイン、ソース間の抵抗値を低下させて、コンデンサＣ１３  およびコンデンサＣ１９  の合成容量を増加させ、第２のトランジスタＱ２のオン時間を長くし、出力電圧を相対的に増加させる。
【００５１】
反対に、電源電圧が低下した場合には、トランジスタＱ６のコレクタ、エミッタ間電流を減少させ、電界効果トランジスタＱ７のドレイン、ソース間の抵抗値を増加させて、コンデンサＣ１３  およびコンデンサＣ１９  の合成容量を減少させ、第２のトランジスタＱ２のオン時間を短くし、出力電圧を相対的に減少させる。
【００５２】
したがって、電圧変動により電圧が変動しても、出力電圧を一定に保つことができる。
【００５３】
次に、他の実施の形態について、図３を参照して説明する。
【００５４】
この図３は他の実施の形態の放電灯点灯装置を示す回路図で、この実施の形態は、図１に示す実施の形態において、第２のトランジスタＱ８に代えて、コンデンサＣ１２  および第２のトランジスタＱ２のコレクタ間に、ダイオードＤ１１  に直列にインピーダンス手段としての抵抗Ｒ３１  を接続したものである。
【００５５】
そして、コンデンサＣ１２  の充電時のコンデンサＣ１２  と抵抗Ｒ５および抵抗Ｒ６との時定数を、コンデンサＣ１２  の放電時のコンデンサＣ１２  と抵抗Ｒ３１  との時定数より大きくし、通常動作時の誤動作を防止するとともに、コンデンサＣ６に電圧が残っている場合にも、ダイアックＱ４のブレークオーバ電圧を確実に越えさせ、コンデンサＣ１２  に電荷が蓄積されても再起動を確実にする。
【００５６】
なお、いずれの実施の形態においても、第１のトランジスタおよび第２のトランジスタは、バイポーラ型のトランジスタに限らず、ＭＯＳ型電界効果トランジスタあるいはＩＧＢＴなどを用いても同様の効果を得ることができる。そして、電界効果トランジスタを用いた場合には電界効果トランジスタ自体の寄生ダイオードにより還流ダイオードの動作を行なうので、環流ダイオードは不要になる。
【００５７】
また、絶縁型のトランスを用いる場合に限らず、インダクタに直結型のものを用いても同様である。
【００５８】
【発明の効果】
請求項１記載の電源装置によれば、整流手段の出力により充電される容量手段を有しこの容量手段の電圧が所定値以上になると第１のスイッチング手段をオンするとともに、放電手段で容量手段を放電するため、確実に再起動できる。
【００５９】
請求項２記載の電源装置によれば、通常の発振時にはインピーダンス手段を介してダイオードにより容量手段への電流をバイパスし、容量手段に電荷が蓄えられている場合にも確実に再起動できる。
【００６０】
請求項３記載の放電灯点灯装置によれば、請求項１および２記載の電源装置により付勢点灯される放電ランプとを具備したので、それぞれの効果を奏する。
【００６１】
請求項４記載の照明装置によれば、請求項３記載の放電灯点灯装置が設けられる器具本体とを具備したので、それぞれの効果を奏する。
【図面の簡単な説明】
【図１】本発明の放電灯点灯装置の一実施の形態を示す回路図である。
【図２】同上照明装置を示す斜視図である。
【図３】同上他の実施の形態の放電灯点灯装置を示す回路図である。
【図４】従来例から考えられる放電灯点灯装置を示す回路図である。
【符号の説明】
１    放電灯点灯装置
３    整流手段としての全波整流回路
４    起動回路
１１    照明器具本体
Ｃ６    第１のコンデンサ
Ｃ７    第２のコンデンサ
ｅ    商用交流電源
ＦＬ１  ，ＦＬ２      放電ランプとしての蛍光ランプ
Ｑ１，Ｑ２    スイッチング手段としてのトランジスタ
Ｑ８    放電手段としてのトランジスタ
Ｒ３１    インピーダンス手段としての抵抗
Ｔｒ２    インダクタとしてのトランス
【図１】
0003555637.tif 000002
【図２】
0003555637.tif 000003
【図３】
0003555637.tif 000004
【図４】
0003555637.tif 000005